(57)【特許請求の範囲】
【請求項１】
少なくとも１個のアームを備えるスタンド（１００）であって、このアームが
−  支柱として形成された少なくとも１つの支持領域（１２、２２）、
−  足要素として形成された少なくとも１つの足領域（１４、２４）および
−  ドラム（２００）用保持要素または収容要素として形成された少なくとも１つの保持領域（１６、２６）
を備えている、ドラム（２００）用スタンド（１００）において、
−  足領域（１４、２４）
がほぼ水平に延在し、かつ曲げ部（３０、４０）を介して弾性的に、特に弾力性があるかまたは振動するように支持領域（１２、２２）に連結されており、その際、足領域（１４，２４）がドラム本体全体の下方に延在しており、その際、保持領域（１６，２６）が足領域（１４，２４）よりも短く形成されていることを特徴とするスタンド（１００）。
【請求項２】
−  支持領域（１２、２２）の少なくとも一部が足領域（１４、２４）と一体形成され、および／または
−  支持領域（１２、２２）の少なくとも一部が保持領域（１６、２６）と一体形成されていることを特徴とする請求項１に記載のスタンド（１００）。
【請求項３】
支持領域（１２、２２）の少なくとも一部領域が垂直に延在していることを特徴とする請求項１または２に記載のスタンド（１００）。
【請求項４】
−  支持領域（１２、２２）と足領域（１４、２４）との間の曲げ部（３０）と
−  支持領域（１２、２２）と保持領域（１６、２６）との間の曲げ部（４０）
がそれぞれほぼ水平に延在する鏡軸線（Ｓ）を中心にして鏡像対称的に配置されていることを特徴とする請求項１〜３のいずれか一項に記載のスタンド（１００）。
【請求項５】
アームが
−  支持領域（１２、２２）と足領域（１４、２４）によって形成された第１部材（１８、２８）と、
−  支持領域（１２、２２）と保持領域（１６、２６）によって形成された第２部材（１９、２９）
とを備え、第１部材（１８、２８）と第２部材（１９、２９）が少なくとも１個の連結要素（６０）、例えば少なくとも１個のボルト継手によって互いに連結可能であることを特徴とする請求項１〜４のいずれか一項に記載のスタンド（１００）。
【請求項６】
スタンド（１００）の使用状態で、足領域（１４、２４）、特に支持領域（１２、２２）とは反対側の足領域（１４、２４）の端部が、互いに接触し、特に少なくとも１個の連結要素（５０）、例えば少なくとも１個のボルト継手によって互いに連結されていることを特徴とする請求項５に記載のスタンド（１００）。
【請求項７】
支持領域（１２、２２）と保持領域（１６、２６）との間の曲げ部（４０）が、少なくとも１つの凹部（４２）、特に例えば垂直に延在する少なくとも１つの穴を有することを特徴とする請求項１〜６のいずれか一項に記載のスタンド（１００）。
【請求項８】
−  ほぼ円筒状で、使用状態でほぼ水平に配置されるドラムシェル（２１０）、
−  ドラムシェル（２１０）の上側エッジに張られた少なくとも１つのドラム皮（２２０）および
−  ドラムシェル（２１０）を保持するように形成された、請求項１〜７のいずれか一項に記載の少なくとも１個のスタンド（１００）
を備えているドラム（２００）。
【請求項９】
少なくとも１個の張り装置を備え、この張り装置が
−  ドラム皮（２２０）を張るための少なくとも１個の張りリング（２３０）と、
−  張りリング（２３０）をドラムシェル（２１０）に固定するための少なくとも１個の固定要素（２３２）、特に少なくとも１個の調律ねじとを備え、張りリング（２３０）が使用状態でドラムシェル（１００）のエッジの上方に、特にこのエッジ上に配置されていることを特徴とする請求項８記載のドラム（２００）。
【請求項１０】
ドラムの使用状態で、
−  足領域（１４、２４）がドラム皮（２２０）の下方に配置され、および／または
−  ドラム皮（２２０）が足領域（１４、２４）の上方にほぼ平行に配置されていることを特徴とする請求項８または９に記載のドラム（２２０）。
【請求項１１】
ドラムシェル（２１０）に配置された少なくとも１個の保持要素（２４０）を備え、この保持要素が支持領域（１２、２２）と保持領域（１６、２６）との間に配置された凹部（４２）に支承可能であることを特徴とする請求項８〜１０のいずれか一項に記載のドラム（２００）。
【発明の詳細な説明】
【技術分野】
【０００１】
本発明は、請求項１の上位概念部分に記載したドラムスタンドに関する。
【０００２】
本発明はさらに、楽器、すなわちドラム、しかも請求項１の上位概念部分に記載したドラムスタンドに関連するドラムに関する。
【背景技術】
【０００３】
ドラムスタンドはほとんどが三脚である。スタンドの足領域は、例えば特許文献１に記載されているように、据え付け面上にほぼ垂直に立っている。
【０００４】
さらに、例えば特許文献２と特許文献３により、垂直に延在する１本のスタンド支柱と３本の折畳み可能な足を備えたドラムスタンドが知られている。この足は使用状態において約４５°の角度で垂直なスタンド支柱から離れるように延在する。このスタンドの足領域は水平に対して約４５°の角度をなして据え付け面上に立っている。
【０００５】
水平に対して４５°の角度をなして延在するスタンド支柱を備えたスタンドは、特許文献４によって知られている。このスタンドの足領域はスタンド支柱に対して延長して配置した短い足部材によって形成されている。大きなドラムを保持するために、このスタンドはスタンド支柱の上端に配置された収容領域と、スタンド支柱の下端から水平に離れるように延在する保持フレームとを備えている。この保持フレームはスタンド支柱に固定連結されている。
【０００６】
上記した公知のドラムスタンドはすべて、ドラム演奏時にドラムスタンドに伝達される振動と圧力波が減衰されないでドラムの据え付け面に伝達され、ドラムの音が損なわれるという欠点がある。
【０００７】
上記した公知のドラムスタンドはすべて、ドラムシェルの振動がスタンド構造体の剛性によって強く妨害されるかまたは全く阻止され、その結果ドラムの音が悪影響を受けるという欠点がある。
【０００８】
ドラム演奏の音の状態に関して、次のことを指摘する。
【０００９】
それ自体が鳴り響く多くの楽器は、自由振動できるようにするために、その１つの死点（鐘とシンバルの場合には楽器の振動しない中心）であるいは複数の死点（木琴の場合には板の両軸線）で懸吊される。例えば鐘から懸吊部を取り除くと、音は直ちに終了する。なぜなら、据え付け面が剛性であり、鐘の本体の振動が阻止されるからである。
【００１０】
ドラムをたたくことにより、ヘッド、すなわち皮を直接的に振動させ、そしてドラム本体を間接的に振動させる。従って、シェルの振動は音全体で重要な役割を有する。これは、例えばドラムセットのドラムを手で保持し、その後スタンドに取付けて演奏するためにたたくときに明瞭に感じられる。音の違いはきわめて明瞭であり、ドラムが取付けられているときには、一般的に「良くない」と感じられる。すなわち、上述した種類のスタンドはその構造によってシェル内の振動を減衰するかまたは阻止する。というのは、スタンドがそれを直角に立てた据え付け面の剛性をドラムに伝達し、ドラム本体の振動を多少強く妨害するかまたはほとんど全部を阻止するからである。懸吊部の理想は、ドラムを所望な位置に保持するのに充分な剛性を有し、かつシェルの振動に対する影響をできるだけ小さくするのに充分な可撓性を有することである。従来、ゴムを備えたいろいろな弾性支持部によって、ドラムを振動させるための普通のスタンドの剛性の移行部を見いだすことを試みた。このスタンドの場合、このコストのかかる移行部をもはや見いだす必要がないことが新しい。なぜなら、スタンド自体が剛性のある据え付け面への移行部を形成するからである。
【先行技術文献】
【特許文献】
【００１１】
【特許文献１】独国実用新案第９２０６８７７Ｕ１号明細書
【特許文献２】スイス国特許第５５０４７号明細書
【特許文献３】独国特許出願公告第１９５０１３１２Ｂ４号明細書
【特許文献４】独国特許第４４３６０３９Ｃ２号明細書
【発明の概要】
【発明が解決しようとする課題】
【００１２】
概略を説明した従来技術の上述の欠点および不十分な点から出発して並びに従来技術の評価の下で、本発明の根底をなす課題は、ドラム本体の振動に対する悪影響を最小限に抑えるように、冒頭に述べた種類のスタンド並びに冒頭に述べた種類のドラムを改良することである。
【課題を解決するための手段】
【００１３】
この課題はスタンド、すなわち請求項１に記載した特徴を有するドラム振動スタンドによって、並びに請求項１０に記載した特徴を有するドラムによって解決される。本発明の有利な実施形と合目的な発展形態は各従属請求項に特徴を記載してある。
【００１４】
本発明は、ドラムシェルの振動がスタンドによってできるだけ妨害されないように、スタンドが形成されていることに基づいている。その際、スタンドの使用状態で、支柱として形成されたドラムの支持領域は、据え付け面、例えば床から上方へ離れるように垂直にまたは斜めに延在している。支持領域はその少なくとも一部領域が水平に対して１８０°よりも小さな角度で、好ましくは約４０〜９０°の角度で配置されている。
【００１５】
振動を弾性的に受け止めるためおよび振動するドラムと硬い据え付け面との間の移行部を形成するために、
−  ほぼ水平に延在するスタンドの足領域および／または
−  ほぼ水平に延在するスタンドの保持領域
を有する支持領域の連結部が、弾性的な、特に弾力性があるかまたは振動する少なくとも１個の曲げ部として形成されている。支持領域と足領域との間および／または支持領域と保持領域との間の曲げ部は（それぞれ）回転軸線を形成している。この回転軸線の回りを足領域および／または保持領域が弾性的に動く、一層正確に言うと振動する。従って、スタンドはその構造的な形成に基づいて腰掛け家具として知られている振動安楽椅子に似ている。
【００１６】
操作時にドラムから発生する振動は、この振動と圧力波を据え付け面に伝達することなく、スタンドまたは振動スタンドによって受け止められる。これによって、小さなドラムの場合にも、比べものがないほど柔らかい演奏感覚が生じる。この演奏感覚はアフリカまたはアジアの大型で高価な民俗ドラムに匹敵する。
【００１７】
ドラムシェルの自由振動はスタンドまたは振動スタンドによる妨害が最小限に抑えられる。なぜなら、スタンドが据え付け面の剛性をシェルに直接伝えないからである。これによって、小型のドラムの場合にも、比べものがないほど柔らかい演奏感覚が生じる。この演奏感覚は、体に直接支持されたドラム、例えば行進曲音楽の大型および小型のドラム、アフリカ音楽のジェムベ（Ｄｊｅｍｂｅ）およびデュンデュン（Ｄｊｕｎ  Ｄｊｕｎ）に匹敵する。
【００１８】
スタンドの良好な減衰作用と同時に良好な据え付け安定性を保証するために、足領域は好ましくはドラムシェルの下方にブレード状（Ｋｕｆｅｎａｒｔｉｇ）に配置されている。高い据え付け安定性を得るために、足領域は好ましくはドラム本体全体の下方に延在している。すなわち、足領域の長さがドラムシェルの直径にほぼ一致している。しかし、保持領域は非常に短く形成可能である。
【００１９】
シェルの振動状態に対する良好な影響と同時にスタンドの良好な据え付け安定性を保証するために、足領域は好ましくはドラムシェルの下方にブレード状に配置されている。その際、凸凹の据え付け面における傾きを三点支持によって回避するために、３個のフェルト要素またはゴム要素またはばね弾性的な合成樹脂要素を使用すると有利である。高い据え付け安定性を得るために、足領域は好ましくはドラム本体全体の下方に延在している。すなわち、足領域の長さがドラムシェルの直径にほぼ一致している。しかし、保持領域は非常に短く形成可能である。
【００２０】
スタンドアームの保持領域と足領域がほぼ水平に延在し、かつそれぞれ１個の曲げ部を介して、弾性的に（ｅｌａｓｔｉｓｃｈ）、特に弾力性があるか（ｆｅｄｅｒｎｄ)または振動するように支持領域に連結されていると、きわめて良好な減衰作用とシェルの振動に対するきわめて良好な影響が生じる。その際、保持領域は好ましくは足領域に対して平行に延在している。例えばドラムスタンドのアームはＵ字形に形成可能である。この場合、保持領域と足領域はそれぞれ、Ｕ字の脚部を形成している。その代わりに、保持領域は足領域に対して斜めに配置可能であるかあるいは円形または円弧状に形成可能である。Ｌ字形形状と、幾分変形された、例えば交叉部材としての据え付け面を有する実施形も可能である。
【００２１】
スタンドは例えば木材、合成樹脂または金属あるいは他の適当な材料によって製作可能である。スタンドの構造的な形成に基づいて、スタンドの利用者は負傷する危険がない。それとは異なり、特許文献２と３によって知られているような従来の金属製スタンドを操作する際には、利用者は挟まれたりぶつかったりする。
【００２２】
本発明に係るドラムスタンドの他の利点は、ドラムスタンドが積み重ね可能であり、従って従来のドラムスタンドの必要スペースの数分の１しか必要としない。運搬や保管の際の省スペースのために、ドラムスタンドは複数の部材からなっている。例えば、ドラムスタンドは
−  支持領域と足領域によって形成された第１部材と、
−  支持領域と保持領域によって形成された第２部材
とを備えている。連結要素、例えばボルト継手によって、個々の部材は取り外しできるように互いに連結可能である。
【００２３】
本発明の有利な実施形に従い、ドラムの少なくとも１個の張りリング、特に少なくとも１個の調律リングは、ドラムのシェルエッジから上方に少しだけ、好ましくは約２ｍｍだけ突出するように形成されている。この実施形の場合には、シェルエッジが不意にあるいは意図的に、例えば音色としてたたかれるときに、シェルエッジは張りリングによる損傷を防止される。
【００２４】
本発明はフィットネス分野で使用するための上記種類の少なくとも１個のドラムの使用に関する。
【００２５】
前述したように、本発明の理論を有利に実施し、かつ発展させるためにいろいろな方法がある。これに関連して、一方では、請求項１と請求項１０にそれぞれ従属する請求項を参照すべきである。他方では、本発明の他の実施形、特徴および効果を、図示した実施の形態に基づいて次に詳しく説明する。
【図面の簡単な説明】
【００２６】
【図１】本発明に係る振動スタンドを備えた本発明に係るドラムの側面図である。
【図２】図１のドラムと振動スタンドを前方左側から見た図である。
【図３】図１のドラムと振動スタンドを前方左側から見た他の図である。
【図４】取り外し可能な継手を介して相互連結された部材を有する二分割形成されたアームの拡開状態を示す斜視図である。
【図５】二分割アームの両部材の連結領域を示す図である。
【図６】二分割アームの両部材の連結領域の折り畳んだ状態を示す図である。
【発明を実施するための形態】
【００２７】
図１〜３において、同じまたは類似の構成、要素もしくは特徴には同一の参照符号が付けてある。
【００２８】
図１はドラム２００のためのスタンド、すなわち振動スタンド１００を示している。この振動スタンド１００はいろいろなドラムを保持する働きをすることができる。例えば、振動スタンド１００は高さの低い円筒状の金属製のシェル板と下側のヘッド上のスネアとを有する小型ドラムを保持する働きをすることができる。さらに、中型ドラム（Ｒｕｅｈｒｔｒｏｍｍｅｌ）または徒歩傭兵ドラム（Ｌａｎｄｓｋｎｅｃｈｔｓｔｒｏｍｍｅｌ）を振動スタンド１００で保持することができる。振動スタンドはさらに、タンバリン、タムタム、ボンゴおよびコンガのような大型ドラムを保持する
ためにも使用可能である。
【００２９】
振動スタンド１００は１個または２個のアームを備え、このアームはそれぞれ、
−  支柱として形成された支持領域１２、２２、
−  足要素として形成された足領域１４、２４および
−  ドラム２００用保持要素または収容要素として形成された保持領域１６、２６
を備えている。
【００３０】
足領域１４、２４はドラムシェル２１０の下方にブレードのように延在し、かつ曲げ部３０を介して、垂直に配置された支持領域１２、２２に弾性的に支持するようにまたは振動するように連結されている。さらに、支持領域１２、２２は曲げ部４０を介して、水平に延在する保持領域１６、２６に弾性的に支持するようにまたは振動するように連結されている。この両曲げ部３０、４０はほぼ水平に延在しおよび／またはドラム皮２２０に対して平行に延在する鏡軸線Ｓに対して鏡像対称的に配置されている。
【００３１】
アームは１つの部材または２つの部材で形成されている。この場合、アームの個々の部材１８、１９、２８、２９は少なくとも１個のボルト継手６０を介して取り外し可能に互いに連結されている。各アームの第１部材１８または２８は支持領域１２または２２と足領域１４または２４からなっている。各アームの第２部材１９または２９は支持領域１２または２２と保持領域１６または２６とからなっている。安定性を高めるために、個々の部材１８、１９または２８、２９はそれぞれ一体に形成されている。
【００３２】
スタンド１００の使用状態で、支持領域１２または２２とは反対側の足領域１４、２４の端部は、少なくとも１個のボルト継手５０によって取り外し可能に互いに連結されている。ボルト継手５０は両保持アームの角度を０〜１８０°またはそれ以上に調節することができるようなボルト継手とすることができる。０°の位置は運搬または保管のためのものであり、他のすべての角度位置はドラムの異なる直径に合わせて調節可能である（図４〜６）。それに対して、保持領域１６、２６は互いに間隔をおいて配置されている。この特別な配置構造はスタンド１００に対して高い据え付け強度と安定性を付与する。他の方法で形成された取り外し可能な連結部を使用することもできる。例えばロック装置を備えた固定保持可能な回転ヒンジを使用することができる。
【００３３】
ドラムシェル２１０を固定するために、支持領域１２、２２と保持領域１６、２６との間の曲げ部４０は、垂直に延在する穴４２を備えている。この穴４２には、ドラムシェル２１０の外側エッジに固定された保持要素２４０が支持されている。
【００３４】
ドラムシェル２１０は保持領域１６、２６から離れるように水平に延在している。この場合、保持領域１６、２６は円筒状ドラムシェル２１０の外周に配置されている。
【００３５】
ドラムシェル２１０の上側エッジに張られたドラム皮２２０は、少なくとも１個の張りリングまたは調律リング２３０によって保持されている。シェルエッジの機械的な損傷を防止するために、この調律リング２３０はシェルエッジから約２ｍｍだけ突出しているかあるいはシェルエッジに載っている。
【００３６】
張りリング２３０を固定するために、ドラムはドラムシェル２１０の外周に配置された約９個の固定要素２３２または調律ねじを備えている。
【００３７】
ドラムヘッド２２０は、例えばフィットネス分野のドラム演奏の場合の完全な肉体労働的な使用および多数のドラムの使用にもかかわらず、うるさくなく、心地よい音を発するように形成されている。ドラムヘッド２２０は騒音として感じられる周波数を発生しない。ドラムヘッド２２０は、ドラムというよりもサンドバッグでのボクシングパンチによる素朴で強められた音だけを発生するように選定されている。ドラムヘッド２２０はさらに、残響をあまり発生しないように選定されている。
【００３８】
マレットとしては好ましくは、手全体で容易に保持することができかつヘッドをあまり消耗しないようなものが使用される。
【００３９】
図１〜３に示した、振動スタンド１００を有するドラム２００は、比べものがないほど柔らかい演奏感覚を有する点が、従来技術で知られているドラムと異なる。
【００４０】
従来技術に対する他の利点は、楽器を積み重ねることができかつ運搬性が良好であることと、従来どおりの金属製スタンドの損傷の危険を構造的に回避することにある。
【００４１】
図１〜３に示した振動スタンド１００は特に、フィットネススタジオ、イベントまたは治療で使用されるドラム２００に適している。振動スタンド１００は特に、たくさんの振動や圧力波がスタンドに加えられる分野に適している。
【符号の説明】
【００４２】
１００    ドラムスタンド、特に振動スタンド
１２      アーム、特に第１アームの支持領域
１４      アーム、特に第１アームの足領域
１６      アーム、特に第１アームの保持領域
１８      支持領域１２と足領域１４によって形成された、アーム、特に第１アームの第１部材
１９      支持領域１２と保持領域１６によって形成された、アーム、特に第１アームの第２部材
２２      他のアーム、特に第２アームの支持領域
２４      他のアーム、特に第２アームの足領域
２６      他のアーム、特に第２アームの保持領域
２８      支持領域２２と足領域２４によって形成された、他のアーム、特に第２アームの第１部材
２９      支持領域２２と保持領域２６によって形成された、他のアーム、特に第２アームの第２部材
３０      足領域１４、２４と支持領域１２、２４との間の曲げ部
４０      保持領域１６、２６と支持領域１２、２４との間の曲げ部
４２      曲げ部４０の凹部、特に垂直に延在する穴
５０      足領域１４、２４を特に取り外し可能に連結するための連結要素、特にボルト継手
６０      第１部材１８または２８を第２部材１９または２９に特に取り外し可能に連結するための連結要素、特にボルト継手
２００    ドラム
２１０    ドラムシェル
２２０    ドラム皮、特にドラムヘッド
２３０    張りリング、特に調律リング
２３２    固定要素、特に調律ねじ
２４０    保持要素、特に保持ウェブ
Ｓ        鏡軸線
【図１】
0005415817.tif 000002
【図２】
0005415817.tif 000003
【図３】
0005415817.tif 000004
【図４】
0005415817.tif 000005
【図５】
0005415817.tif 000006
【図６】
0005415817.tif 000007